(57)【要約】　　　（修正有）【課題】天然のように見えるフランス式マニキュアを可能にし、熟練した爪の専門家を必要とせずに簡単に貼り付けることができる人工爪を提供する。【解決手段】人工指爪は、該人工指爪の近位端の不透明な三日月形の半月部と、半月部と反対側の人工指爪の遠位端の不透明な爪先端部１２と、半月部と先端部との間の実質的にクリアで透明な爪基部１１と、爪基部と爪先端部との間の分割線１３とを備える。爪基部は、実質的に天然指爪の爪基部に対応し、天然指爪の上に貼り付けられる。爪チップは、人工指爪が天然指爪の上に貼り付けられると天然爪先端部２２を覆い隠す、連続した不透明な装飾を含む。爪基部は、実質的にクリアで透明であり、該爪基部を通して天然爪基部を見ることができる。【選択図】図２
2004081843.tif 000002
【特許請求の範囲】
【請求項１】
人工指爪であって、
前記人工指爪の近位端の不透明な三日月形の半月部と、
前記半月部と反対側の前記人工指爪の遠位端の不透明な爪先端部と、
天然爪に接着されて結果的に前記天然爪の基部の少なくとも一部を誇示するようになっている、前記半月部と前記先端部との間の実質的にクリアで透明な爪基部と、
前記爪基部と前記爪先端部との間の分割線と、
を備えることを特徴とする人工指爪。
【請求項２】
前記分割線が、前記人工指爪が前記天然指爪の上に貼り付けられる場合、基部から先端部への天然爪の移行線に対して所定の角度を有することを特徴とする請求項１に記載の人工指爪。
【請求項３】
前記分割線が、前記人工指爪が前記天然爪の上に貼り付けられる場合、基部から先端部への天然指爪の移行線に対してほぼ位置合わせされることを特徴とする請求項１に記載の人工指爪。
【請求項４】
前記不透明半月部及び前記半透明爪先端部が、それらの要部をカバーしてフランス式マニキュアの外観を与える塗料を備えることを特徴とする請求項１に記載の人工指爪。
【請求項５】
前記塗料が白色であることを特徴とする請求項４に記載の人工指爪。
【請求項６】
前記人工指爪全体に塗布される装飾デザインを更に備えることを特徴とする請求項１に記載の人工指爪。
【請求項７】
前記人工爪の上に塗布される透明シーラーを更に備えることを特徴とする請求項１に記載の人工指爪。
【発明の詳細な説明】
【０００１】
本発明は、人工爪及び該人工爪を天然指爪に貼り付ける方法に関する。詳細には、本発明は、貼り付けた状態で天然爪のような外観をもつ人工の爪全体のカバーに関する。
【０００２】
【従来技術】
従来の人工指爪は、不透明で硬質な可撓性のあるプラスチックで作られている。人工指爪は天然爪の上に接着剤を用いて貼り付けられた後に、マニキュア液又は透明アクリルの上塗り剤（トップコート）でカバーされる。爪チップに関して、チップと基部との間の継ぎ目は、マニキュア液又は透明アクリルの上塗り剤の塗布に先だって、充填剤で満たされる。前記の従来の人工指爪は、人工爪が天然爪の基部を完全に覆い隠すので、マニキュア液でカバーされた場合にのみ天然爪のように見える。
【０００３】
人工爪は不透明でありフランス式マニキュアは実現不可能である。フランス式マニキュアは、爪先端部のみが着色され（通常白色）、爪基部は天然色のままか又は薄いピンク色に着色される。不透明な人工爪は天然のようには見えず、不透明な人工爪基部が天然爪の基部のように見えるように作ることができないので、フランス式マニキュアを人工爪に試みると天然のように見えない。人工爪チップに関して、不透明な爪チップと天然爪基部との間の継ぎ目は充填される必要があるので、チップは天然爪のように見えるように作ることはできない。
【０００４】
【発明が解決しようとする課題】
従って、天然のように見えるフランス式マニキュアを可能にし、熟練した爪の専門家を必要とせずに簡単に貼り付けることができる人工爪を提供することが望まれている。
【０００５】
【課題を解決するための手段】
本発明は人工指爪カバーに関し、このカバーは、人工指爪の近位端の不透明な三日月形の半月部と、半月部と反対側の人工指爪の遠位端の不透明な爪先端部と、半月部と先端部との間の実質的にクリアで透明な爪基部と、爪基部と爪先端部との間の分割線とを備えている。
【０００６】
爪基部は、実質的に天然指爪の爪基部に対応し、天然指爪の上に貼り付けられる。爪基部は、実質的にクリアで透明であるが、三日月形の半月部及び爪先端部は連続した不透明な装飾が施されている。つまり、透明な爪基部は、少なくとも天然爪基部の一部が透明な爪基部を通して見えるようにし、不透明な爪先端部は、人工指爪が天然指爪の上に貼り付けられる場合、少なくとも天然爪基部の一部を覆い隠す。このようにして、人工指爪は有色で天然爪の外観を有し、このことは特にフレンチマニキュアを施す場合に重要である。
【０００７】
好適な実施形態において、分割線は、人工指爪が天然爪の上に貼り付けられる場合、基部から先端部への移行線に対してほぼ位置合わせされる。もしくは、分割線は、移行線に対して所定の角度を有している。
【０００８】
フランス式マニキュアを施す場合、白色塗料は半月部及び爪先端部全体に塗布される。更に装飾的な外観を施す場合、装飾デザインを爪の一部又は全部にわたって塗布することができる。このデザインは、エアブラシで塗った又は印刷した花、鳥、又は任意のデザインとすることができる。このデザインは、半月部及び天然爪先端部に対応する区域をカバーする不透明被覆剤の上に用いることができる。人工爪は天然のようには見えないので、天然爪先端部は人工爪を通して見えないことが重要である。天然爪基部だけが人工爪を通して見ることができる。
【０００９】
更に、人工爪は、透明シーラーの上塗り剤で被覆して不透明被覆剤及びデザインを保護するようになっているのが好ましい。つまり、爪は前もって仕上げられた状態で販売され、天然指爪に貼り付けた後の付加的な研磨は全く不要である。
【００１０】
別の実施形態において、人工指爪チップは、透明なアクリル材料で作られている。指爪チップは、不透明な爪先端部及び透明な基部を備える。爪チップ基部は、天然指爪の遠位端の寸法及び形状にのみ対応し、指爪の先端に貼り付けられる。所望パターンの付加的な不透明な装飾は、爪基部が実質的に透明なままである限り、爪チップに塗布することができる。つまり、爪チップの爪先端部を白色の不透明デザインでカバーすることで、フランス式マニキュアを施すことができる。このことは、爪に対して単純に不透明な爪チップ全体を貼り付けるよりも、はるかに天然に近い外観をもたらす。
【００１１】
チップは、一般的な接着剤を用いて天然爪に貼り付けられる。その後、透明アクリル又は樹脂充填剤は、天然爪基部の上に置かれ、チップの透明な爪基部と天然爪基部との間に滑らかな変わり目を形成するようになっている。充填剤も透明であり、天然爪基部は充填剤を通して見ることができる。透明アクリルの上塗り剤は、爪及び爪チップ全体に塗布されるので、完成した爪は滑らかで光沢があり、自然な外観をもつ。また、装飾部を覆う透明アクリル層により、装飾部は非常に魅力的な立体的外観になる。また、アクリルは、装飾部を引っかき又はチッピングから保護する。
【００１２】
人工爪カバーは、ＡＢＳ（アクリロニトリル・ブタジエン・スチレン）プラスチック製であるのが好ましい。しかしながら、他の材料を用いることもできる。
【００１３】
また、本発明は人工指爪キットに関し、該キットは、半透明のピンク色の接着剤、透明充填剤、及び被覆材料と一緒に、前述の少なくとも１０個の人工爪カバー及び／又はチップを含む。接着剤は、エチルシアノアクリレートであることが好ましいが、他の接着剤を用いることもできる。充填剤は、一般的な粉末材料であり、液体溶剤と混ぜ合わされてブラシを用いて爪に塗布される。その後、充填剤は半透明の固形被膜へと急速硬化する。
【００１４】
本発明は、透明な爪基部を備え、天然爪基部を透明な爪基部を通して見ることができる点で、従来の爪チップに対して利点がある。不透明な被覆剤及びデザインをチップに対して前もって塗布していくことで、本発明は、ネイルサロンで指にデザインを直接塗布する費用を低減できる。また、爪チップの上の透明な外側被覆は、デザインに魅力的な立体的外観を与える。最後に、本発明の人工爪チップは、爪チップの基部が透明であり天然爪基部に貼り付けられ充填された後には見えないので、貼り付け後にヤスリがけの必要は殆どない。
【００１５】
本発明によれば、人工爪及び該人工爪を貼り付ける方法が提供され、天然爪基部は人工爪を通して見ることができ、爪全体は天然爪のように見える。人工爪は、熟練した爪の専門家を必要とすることなく、消費者が簡単に貼り付けることができる。更に、人工爪は、製造が簡単で安価である。もしくは、人工爪チップ及び該人工爪チップを貼り付ける方法が提供され、天然爪基部は、人工爪チップを通して見ることができ、爪チップは、天然爪の一部のように見える。
【００１６】
本発明の別の目的及び特徴は、添付の図面と併せて以下の詳細な説明から明らかになる筈である。しかしながら、図面は例示的なものであり、本発明を限定しない点に留意されたい。
【００１７】
【実施例】
図面を詳細に参照すると、図１から図３は、本発明による人工の爪全体のカバー１０を示す。人工爪カバー１０は、透明なプラスチック材で作られている。カバー１０は、ＡＢＳプラスチック製であることが好ましく、所望の寸法及び形状に整えてヤスリをかけることができる。カバー１０は、爪基部１１及び爪先端部１２を含む。爪全体のカバー１０の爪基部１１は、実質的に天然指爪の爪基部２１全体に対応し、天然指爪の爪基部の上に貼り付けられる。爪基部１１が天然指爪の爪基部全体の寸法及び形状とほぼ同じである場合、爪基部１１と先端部１２との間の分割線１３は、天然爪基部２１から天然爪先端部２２への天然爪の移行線２３に対応する。この場合、移行線２３は、指２０の先端にほぼ対応し、天然爪先端部２２は指先を越えて延びる天然爪の部分である。
【００１８】
先端部１２は、連続した不透明な装飾で装飾されている。本明細書で用いる場合「連続した不透明」は変わり目又は不連続点がない装飾（主として色彩又は陰影による）を意味する。つまり、先端部１２は、白色等の不透明な塗料１５を塗ってフランス式マニキュアに似せることができるが、基部１１は実質的に透明のままである。しかしながら、基部１１が実質的に透明である限りは、付加的なデザイン１４を基部１１及び先端部１２の上に塗布して爪の外観を改善することができる。
【００１９】
図４及び図５に示す別の実施形態において、基部１１と先端部１２との間の分割線１３ａは、天然爪の移行線２３に対して傾斜している。換言すれば、分割線１３ａは、カバー１０の片側の移行線２３から始まるが、分割線がカバーを横断するにつれて天然爪基部２１に向かって内側に延びる。ここでも同様に、先端部１２は、好ましくは白色の不透明塗料１５が塗られているが、基部１１は実質的に透明のままであり修正フランス式マニキュアの外観を与えるようになっている。
【００２０】
天然指爪に爪カバー１０を貼り付けるために、図３に示す半透明のピンク色の接着剤１８は、従来の方法でカバー１０の爪基部１１に塗布されている。接着剤は、エチルシアノアクリレートが好ましいが、他の接着剤を用いることもできる。その後、爪カバー１０は、図２及び図３に示すように指２０の天然爪基部２１上に置かれる。天然爪先端部２２は、先端部１２の下で外側に延びるが、不透明な爪先端部１２に起因してカバー１０を通して見ることができない。しかしながら、爪基部１１は実質的に透明なので、天然爪基部２１はカバー１０を通して見ることができる。このようにして、人工爪カバー１０は、天然爪に似せることができる。保護の目的で透明上塗りシーラー１６を人工爪全体に塗布することが好ましい。
【００２１】
図６から図８には人工爪チップ３０の形式の本発明の別の実施形態が示されている。人工爪チップ３０は、図１から図５に示す全体カバー１０と類似のものであるが、図７及び図８に示すようにチップは天然爪基部２１の外側端部にのみ貼り付けられている。また、人工爪チップ３０は透明なＡＢＳ製であり、爪先端部３１及び爪基部３２を含むことが好ましい。チップ３０の基部３２の寸法及び形状は、天然爪基部２１の遠位端にのみ対応し、指爪の爪基部２１の端部及び爪先端部２２に貼り付けられている。ここでも同様に、先端部３１は不透明塗料が塗られておりフランス式マニキュアに似せてあるが、基部は実質的に透明のままである。先端部３１及び基部３２は分割線３４で分かれており、分割線は、天然爪基部２１から天然爪先端部２２への天然爪の移行線２３に対応する。ここでも同様に、分割線３２は、図４及び図５で説明したように、移行線２３に対して傾斜していてもよく、装飾デザイン３５は、エアブラシ又は別の方法で先端部３１及び基部３２の上に塗布することができる。
【００２２】
図８に示すように、爪チップ３０は、チップが天然爪基部にまさに入り込んで延びるように接着剤を用いて天然爪に取り付けられ、長い天然爪の外観をもたらすようになっている。この時点で、半透明アクリル充填剤３６は、天然爪基部２１の上に塗布され、爪チップ３０への滑らかな変わり目を生成するようになっている。充填剤３６は、一般的な粉末材料であり、液体溶剤と混ぜ合わされてブラシを用いて爪に塗布される。その後、充填剤は半透明の固形被膜へと急速硬化する。その後、天然爪全体及び爪チップ３０全体は、半透明アクリル３７の層によってカバーされ、光沢のある魅力的な外観をもたらすと共にデザイン層３２の外観を改善するようになっている。
【００２３】
前述の爪カバー１０と同様に、基部３２、充填剤３６、及び外側アクリル層の全てが透明なので、天然爪２１は爪チップ３０を通して見ることができる。同様に、先端部３１は不透明なので、天然爪先端部２２は人工爪チップ３０を貼り付けると見えなくなる。その結果、極めて自然で魅力的に見えるフランス式マニキュアの形式の美しい爪がもたらされる。
【００２４】
同じ構成要件には同じ符号が付与されている図９及び図１０を参照すると、本発明の別の実施形態が示されている。図９及び図１０に示す人工爪カバー４０は、図１から図５の全体カバー１０と類似のものである。しかしながら、基部１１及び先端部１２に加えて、カバー４０には先端部とは反対側に不透明な三日月形の半月部４２が設けられている。つまり、カバー４０は、その近位端の不透明な三日月形の半月部４２と、半月部の反対側においてその遠位端の不透明な爪先端部１２と、半月部と先端部との間の実質的にクリアで透明な爪基部１１と、爪基部と爪先端部との間の分割線１３とを含む。また、人工爪カバー４０の三日月形の半月部４２は、白色の不透明塗料で被覆されるのが好ましいが、勿論、別の色を使用できる。
【００２５】
半月部４２は、本来白い半月、つまり一般に天然爪の下に見える天然爪床の末端部分を真似るために設けられる。天然半月の別の一般的な呼び名は「キューティクルムーン（ｃｕｔｉｃｌｅ　ｍｏｏｎ）」である。天然半月は、幾つかの天然指爪の下に見えるが残りの指爪では見えない場合があり、外観を改善するために一様な半月部をもつ人工指爪カバーセットを備えることが望ましい。
【００２６】
また、人工爪カバー４０は、前述の不透明塗料が塗られた先端部１２を有する透明なＡＢＳ製であることが好ましい。つまり、半月部４２と先端部１２との間の基部１１は、実質的に透明なままである。先端部１２及び基部１１は分割線１３で分かれており、分割線は、天然爪基部２１から天然爪先端部２２への天然爪の移行線２３に対応する。ここでも同様に、分割線１３は、図４及び図５で説明したように、移行線２３に対して傾斜していてもよく、装飾デザイン１４は、エアブラシ又は別の方法で先端部１２及び基部１１の上に塗布することができる。
【００２７】
前述の爪カバー１０と同様に、基部１１はクリアで透明なので、天然爪基部は、爪カバー４０を通して見ることができる。同様に、先端部１２は不透明なので、人工爪カバー４０を貼り付けると天然爪先端部２２は見えない。更に、不透明な三日月形の半月部４２は、天然半月の有無を分からなくし、極めて自然で魅力的に見えるフランス式マニキュアの形式の美しい爪をもたらす。
【００２８】
前もって製作されたカバー１０、４０、及びチップ３０は、指爪装飾用のキットの一部として消費者に供給できる。少なくとも各種類１０個のカバー及び１０個のチップ３０は、透明接着剤、充填剤、及び上塗り剤と一緒に供給するのが好ましい。キット内に用意されるカバー１０、４０、及びチップ３０は、天然指爪の種々の寸法に応じて寸法は様々であってもよい。爪ヤスリ及び付加的な装飾デカールをキット内に用意することもできる。
【図面の簡単な説明】
【図１】本発明による人工の爪全体のカバーの平面図である。
【図２】天然指爪に貼り付けた場合の人工の爪全体のカバーの側面図である。
【図３】本発明による天然爪、接着剤、人工の爪全体のカバー、不透明被覆剤、及び外側被覆剤の各層の概略的な断面図である。
【図４】本発明による人工の爪全体のカバーの別の実施形態の平面図である。
【図５】図４に示す人工の爪全体のカバーの別の実施形態の側面図である。
【図６】人工爪チップの形式の本発明の更に別の実施形態の平面図である。
【図７】天然指爪に貼り付けられているが充填剤及び上塗り剤がない場合の、図６の人工爪チップの側面図である。
【図８】本発明による天然爪、人工爪チップ、不透明被覆剤、充填剤、及び外側被覆剤の各層の概略的な断面図である。
【図９】本発明による人工の爪全体のカバーの更に別の実施形態の平面図である。
【図１０】図９に示す人工の爪全体のカバーの別の実施形態の側面図である。
【符号の説明】
１０　人工爪カバー
１１　爪基部
１２　爪先端部
１３　分割線
１４　装飾デザイン
１５　不透明塗料
【図１】
2004081843.tif 000003
【図２】
2004081843.tif 000004
【図３】
2004081843.tif 000005
【図４】
2004081843.tif 000006
【図５】
2004081843.tif 000007
【図６】
2004081843.tif 000008
【図７】
2004081843.tif 000009
【図８】
2004081843.tif 000010
【図９】
2004081843.tif 000011
【図１０】
2004081843.tif 000012